(57)【要約】  衛星放送システムにおける放送衛星から受信された衛星放送データを移動受信器へ送信する衛星中継器は、受信された放送信号を復調する衛星チューナーと、復調された衛星放送信号を変調してフレームを構成し、制御チャンネルフレームに衛星中継器識別子情報を挿入するフレーム構成部と、フレーム構成部から受信されたフレームを無線周波数に載せて送信する無線処理部とを具備する。
2006528865.tif 000002
【特許請求の範囲】
【請求項１】
衛星放送システムにおける放送衛星から受信された衛星放送データを移動受信器へ送信する衛星中継器であって、
前記受信された放送信号を復調する衛星チューナーと、
前記復調された衛星放送信号を変調してフレームを構成し、制御チャンネルフレーム内に衛星中継器識別子情報を挿入するフレーム構成部と、
前記フレーム構成部から受信されたフレームを無線周波数に載せて送信する無線処理部と
を具備することを特徴とする衛星中継器。
【請求項２】
前記フレーム構成部は、
前記復調された衛星放送信号を変調して前記フレームを構成する変調器と、
前記変調器から出力された信号のうちから、放送データチャンネル情報を有する制御チャンネルに衛星中継器識別子情報を挿入する衛星中継器識別子生成器とを具備することを特徴とする請求項１記載の装置。
【請求項３】
前記フレーム構成部は、
前記制御チャンネルフレーム内の空いた領域に前記衛星中継器識別子情報を挿入することを特徴とする請求項１記載の衛星中継器。
【請求項４】
前記衛星中継器識別子情報は、
受信器が区別可能な最大の衛星中継器数だけのビット数から構成されることを特徴とする請求項１記載の衛星中継器。
【請求項５】
衛星放送システムにおける衛星中継器から信号を受信する受信器であって、
複数の経路から受信された信号のうち、所定の大きさ以上になる強度を有する信号に対して、復調されたシンボルを生成するフィンガープロセッサーと、
前記復調されたシンボルから衛星中継器識別子を検出する衛星中継器識別子検出部と
を具備することを特徴とする受信器。
【請求項６】
前記衛星中継器識別子検出部は、
前記衛星中継器識別子に該当する信号をあらかじめ設定された回数だけ累積することを特徴とする請求項５記載の受信器。
【請求項７】
前記フィンガープロセッサーは、
前記衛星中継器識別子検出部が検出した衛星中継器識別子に基づいて、現在割り当てられない中継器から受信された経路のうち、受信強度がもっとも大きい経路を優先的に復調することを特徴とする請求項５記載の受信器。
【請求項８】
衛星放送システムにおいて、放送衛星から受信された衛星放送データを変換し、上記変換された衛星放送データを移動受信器へ送信する方法であって、
前記衛星放送信号を受信して復調するステップと、
前記復調された衛星放送信号を変調してフレームを構成し、制御チャンネルフレーム内に中継器識別子情報を挿入するステップと、
前記フレームを無線周波数に載せて送信するステップと
を具備することを特徴とする方法。
【請求項９】
前記衛星中継器識別子情報は、
前記制御チャンネルフレーム内の空いた領域に挿入されることを特徴とする請求項８記載の方法。
【請求項１０】
衛星放送システムにおける受信された信号から衛星中継器を識別する方法であって、
前記衛星中継器から受信された制御チャンネルを復調してスーパーフレームの同期を取得するステップと、
最初の同期を取得したタイミングの多重経路成分を探索して、受信された信号強度を有する経路を選択するステップと、
前記選択された経路のそれぞれに対して、スーパーフレームの開始点を基準にして制御チャンネル内の衛星中継器識別子に該当する値を累積するステップと、
前記累積された値から衛星中継器識別子を検出するステップと、
前記検出された衛星中継器識別子に基づいて、現在割り当てられない中継器から受信された経路のうち、受信強度がもっとも大きい経路を優先的に割り当てるステップと
を具備することを特徴とする方法。
【発明の詳細な説明】
【技術分野】
【０００１】
本発明は、衛星デジタルマルチメディアブロードキャスティング（Digital Multimedia Broadcasting：以下、ＤＭＢと称する）装置及び方法に関し、特に、複数の衛星中継器を識別するための装置及び方法に関する。
【背景技術】
【０００２】
一般的なデジタルマルチメディアブロードキャスティングシステムを図１を参照して説明する。
【０００３】
図１を参照すると、基地局２００は、コンテンツプロバイダー１００から受信されたマルチメディアブロードキャスティング情報を放送衛星３００へ送信する。放送衛星３００は、上記マルチメディアブロードキャスティング信号を端末機５００Ａに送信するための中継器として機能する。すなわち、放送衛星３００は、上記受信されたマルチメディアブロードキャスティング情報を符号分割多重（Code Division Multiplex：以下、ＣＤＭと称する）を使用して２．６ＧＨｚ帯域で端末機５００Ａへ直接送信する。しかしながら、端末機５００Ｂのように、建物の内部や、上記放送衛星３００から送信された信号を受信することができない陰影地域に位置した端末機にも、上記マルチメディアブロードキャスティング信号が送信されるようにするために、放送衛星３００は、時分割多重（Time Division Multiplex：以下、ＴＤＭと称する）を使用して上記マルチメディアブロードキャスティング信号を多重化して、複数の衛星中継器４００へ１１ＧＨｚの帯域で上記ＴＤＭ信号を送信する。
【０００４】
衛星中継器４００は、上記ＴＤＭ信号を２．６ＧＨｚ帯域のＣＤＭ信号へ変換した後に、端末機５００Ｂのサービス地域１０内の陰影地域に位置した端末機５００Ｂへ送信する。
【０００５】
このとき、すべての衛星中継器は、放送衛星３００から受信された信号を端末機５００Ｂへ再送信するので、端末機５００Ｂは、複数の衛星中継器から信号を受信することができるオーバーラップ地域に位置することができる。図２は、１つの端末機が複数の衛星中継器から複数の経路の信号を受信するオーバーラップ地域に位置した端末機を示す。
【０００６】
図２を参照すると、端末機は、衛星中継器Ａから２つの経路を介して信号を受信しており、衛星中継器Ｂから３つの経路を介して信号を受信しており、衛星中継器Ｃから１つの経路を介して信号を受信している。このとき、オーバーラップ地域に位置した端末機は、上記６つの経路を介して受信した信号がそれぞれどんな衛星中継器から送信されたものであるかを区別することができない。
【０００７】
上記のようなオーバーラップ地域が発生する場合に、次のような問題点がある。
【０００８】
一番目に、端末機がどのような衛星中継器からどのくらいの信号が受信されたかを測定することができないと、衛星中継器の位置及び送信電力の最適化が難しい。適切な位置に適切な数の衛星中継器を設ける問題は、受信品質及び経済的な投資に大きい影響を及ぶ。また、既存の衛星中継器の送信電力を、陰影地域を最小化しながらも、衛星中継器間の干渉を減少させることができるように最適化しなければならない。しかしながら、端末機が、それぞれの受信信号がどのような衛星中継器から受信されたものであるかが分からない場合に、最適化に限界がある。
【０００９】
二番目に、レイク受信器を介した受信ダイバーシティにおいて、一定の大きさ以上の受信信号に対しては、可能な限り多くの衛星中継器の信号を結合することが性能の向上に役に立つ。例えば、端末機が同時に受信することができる経路の数が３つであり、図２に示すように、３つの衛星中継器から複数の経路を介して信号が受信される場合に、端末機の移動性を考慮するとき、１つの衛星中継器から受信された３つの経路を選択するよりは、３つの衛星中継器から受信された経路をそれぞれ１つずつ割り当てることが有利である。しかしながら、端末機の特定の経路がどの衛星中継器から受信されたものであるかを区別することができず、ただ、特定の経路の受信強度のみを測定することができると仮定すると、レイク受信器に対する経路の割当ては、受信信号の強度に従って決定される。結果的に、端末機で、多くの衛星中継器から受信された経路を結合する最適のダイバーシティを実現することが難しい。
【００１０】
上記のような問題点を解決するために、韓国特許公開番号２００３−００３６５４０は、端末機が現在受信している信号を送信した衛星中継器を判別するようにするために、衛星中継器が現在使用していない１つのウォルシュコードを割り当てて、衛星中継器の識別子（Gap Filler Identifier）及び付加サービス情報を端末機へ送信する方式を提案している。しかしながら、上記特許公開された発明は、次のような問題点がある。
【００１１】
一番目に、物理的なチャンネルが１つ付加されるに従って、チャンネルの干渉が増加し、結果的に、受信品質が減少される。衛星ＤＭＢの場合に、それぞれのチャンネルは、ウォルシュコードによって識別される。しかしながら、受信器で不安定な直交性及び多重経路の干渉によって、ブロードキャスティングチャンネルの付加が受信性能に大きい影響を及ぶ、という点からみて、受信品質が劣化する可能性がある。
【００１２】
二番目に、衛星中継器が上記特許公開された発明で提案された識別子（ＩＤ）情報を送信する場合に、端末機は、該当衛星中継器識別子（Gap Filler Identifier）情報を判別するためには、該当チャンネルに対するウォルシュコードの復調を遂行しなければならない。これは、端末機の構成が複雑になる、という問題点があった。
【発明の開示】
【発明が解決しようとする課題】
【００１３】
上記背景に鑑みて、本発明の目的は、デジタルマルチメディアブロードキャスティングサービスを受信することができる端末機が、受信される多重経路信号がどんな衛星中継器から送信されたものであるかを識別することができる装置及び方法を提供することにある。
【００１４】
本発明の他の目的は、移動可能な受信端末機が、衛星中継器が送信した信号の相互干渉及び陰影地域を測定することができるようにすることによって、衛星中継器の配置及び送信電力を最適化することができる装置及び方法を提供することにある。
【００１５】
本発明の更に他の目的は、受信端末機が複数の衛星中継器からの信号を結合するようにすることによって、移動中に、環境変化に従う性能の減少を最小化することができる装置及び方法を提供することにある。
【課題を解決するための手段】
【００１６】
このような目的を達成するために、本発明の１つの特徴によれば、衛星放送システムにおける放送衛星から受信された衛星放送データを移動受信器へ送信する衛星中継器は、上記受信された放送信号を復調する衛星チューナーと、上記復調された衛星放送信号を変調してフレームを構成し、制御チャンネルフレーム内に衛星中継器識別子情報を挿入するフレーム構成部と、上記フレーム構成部から受信されたフレームを無線周波数に載せて送信する無線処理部とを具備することを特徴とする。
【００１７】
本発明の他の１つの特徴によれば、衛星放送システムにおける衛星中継器から信号を受信する受信器は、複数の経路から受信された信号のうち、所定の大きさ以上になる強度を有する信号に対して、復調されたシンボルを生成するフィンガープロセッサーと、上記復調されたシンボルから衛星中継器識別子を検出する衛星中継器識別子検出部とを具備することを特徴とする。
【００１８】
本発明の更なる特徴によれば、衛星放送システムにおいて、放送衛星から受信された衛星放送データを変換し、上記変換された衛星放送データを移動受信器へ送信する方法は、上記衛星放送信号を受信して復調するステップと、上記復調された衛星放送信号を変調してフレームを構成し、制御チャンネルフレーム内に中継器識別子情報を挿入するステップと、上記フレームを無線周波数に載せて送信するステップとを具備することを特徴とする。
【００１９】
本発明のもう一つの特徴によれば、衛星放送システムにおける受信された信号から衛星中継器を識別する方法は、上記衛星中継器から受信された制御チャンネルを復調してスーパーフレームの同期を取得するステップと、最初の同期を取得したタイミングの多重経路成分を探索して、受信された信号強度を有する経路を選択するステップと、上記選択された経路のそれぞれに対して、スーパーフレームの開始点を基準にして制御チャンネル内の衛星中継器識別子に該当する値を累積するステップと、上記累積された値から衛星中継器識別子を検出するステップと、上記検出された衛星中継器識別子に基づいて、現在割り当てられない中継器から受信された経路のうち、受信強度がもっとも大きい経路を優先的に割り当てるステップとを具備することを特徴とする。
【発明の効果】
【００２０】
上記受信された信号強度情報は、該当衛星放送中継器の陰影地域及びオーバーラップ地域を判断するのに使用されることができる。
【００２１】
一番目に、移動可能な受信端末機が、衛星中継器が送信した信号の相互干渉及び陰影地域を測定することができるようにすることによって、衛星中継器の配置及び送信電力を最適化することができる。
【００２２】
二番目に、受信端末機が複数の衛星中継器からの信号を結合するようにすることによって、移動中に、環境変化に従う性能の減少を最小化することができる。
【発明を実施するための最良の形態】
【００２３】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００２４】
本発明の実施形態は、衛星中継器が既存のフレーム内の制御チャンネルに衛星中継器識別子（Gap Filler Identifier）情報を挿入して、端末機へ送信するようにして、端末機が信号を送信した衛星中継器を識別することができるようにする装置及び方法を提案する。
【００２５】
図３は、本発明の実施形態による衛星中継器の構成を示すブロック図である。
【００２６】
図３を参照すると、衛星中継器は、ＴＤＭ信号の復調及びＣＤＭ信号のデータの変調を含み、その中間過程で、ＴＤＭ−ｔｏ−ＣＤＭ変換過程を遂行する。ＴＤＭフレームは、基本的に２５．５ｍｓｅｃであり、上記２５．５ｍｓｅｃフレームは、２つのＣＤＭの基本フレーム（１２．７５ｍｓｅｃ）から構成される。１つのＴＤＭ信号は、一度に送信されるが、複数のＣＤＭ信号は、同時に送信されることができる。従って、２５．２ｍｓｅｃの間に受信されたＴＤＭ信号を２つのチャンネルに区分し、１２．７５ｍｓｅｃの間にＣＤＭ信号として送信されることができる。
【００２７】
このような３２個の２５．５ｍｓｅｃのフレームは、ＴＤＭで多重化されて衛星で送信される。上記衛星中継器は、上記受信されたＴＤＭデータのうちで、スーパーフレーム間の境界部分を検出して、２５．５ｍｓｅｃのパイロットチャンネルと２５．５ｍｓｅｃの放送チャンネルをＴＤＭデータから分離し、上記分離されたチャンネルをＣＤＭ信号に変調して送信する。
【００２８】
まず、衛星チューナー４１０は、上記放送衛星からＴＤＭ信号を受信して復調する。パターン認識部４２０は、衛星チューナー４１０から出力された信号を受信して、ＣＤＭ信号に対するチャンネルの分離のために、ＣＤＭスーパーフレームの位置を検出し、ＣＤＭフレームから３２個のチャンネルを分離する。
【００２９】
チャンネルバッファ４３０は、パターン認識部４２０から受信された３２個のチャンネルを別途に貯蔵する。２５．５ｍｓｅｃの１つのＴＤＭフレームが取得されると、ＣＤＭ変調器４４０は、チャンネルバッファ４３０に貯蔵されたデータを受信して、ＰＮ拡散及びウォルシュコードによるチャンネル化を遂行してＣＤＭ変調を行い、各チャンネルの利得を調節して結合する。波形整形（Root-raised cosine：ＲＲＣ）フィルター４５０は、ＣＤＭ変調器４４０から受信されたＣＤＭ信号をフィルターリングする。デジタルアナログ変換器（Digital-to-Analog（D/A）converter）４６０は、ＲＲＣフィルター４５０からのフィルターリングされた信号をデジタル信号からアナログ信号へ変換する。上記変換されたアナログ信号は、アップコンバーター４６５へ提供される。アップコンバーター４６５は、中央処理装置（central processing unit：ＣＰＵ）を構成することができる。上記信号が無線周波数にアップコンバートされた後に、上記ＲＦ信号は、２．６ＧＨｚの帯域で端末機へ送信される。
【００３０】
上述した動作が行われる間に、クロック生成器４８０は、ＰＬＬ（Phase Locked Loop）４７０を介して衛星チューナー４１０から受信された基準クロック信号を用いて上記ＣＤＭ信号の生成のためのクロック信号を生成する。
【００３１】
制御部４９０は、各構成要素のすべてに制御信号を出力する。
【００３２】
図４を参照して、ＣＤＭ変調器４４０から出力されたフレームの構成を説明する。図４は、パイロットチャンネルフレームの構成を示す図である。
【００３３】
図４を参照すると、１つのスーパーフレームは、６個のフレームから構成される。そして、フレームごとに、３２ビットのパイロットシンボル（ＰＳ）と３２ビットの衛星放送制御データ（Ｄ１〜Ｄ５１）とが交互に配置される。上記パイロットシンボルは、データがすべて‘０'である。
【００３４】
衛星放送制御データのうち、Ｄ１及びＤ２は、それぞれユニークワード及びフレームカウンターを示し、残りのＤ３乃至Ｄ５０は、放送チャンネルに対する制御データである。Ｄ５１は、予備（reserve）制御データであり、従って、データが空いている。
【００３５】
従って、本発明の実施形態において、上記衛星中継器は、衛星から受信された信号を復調して、制御チャンネルにデータを載せる過程で空いているデータの送信区間、すなわち、上記Ｄ５１の予備制御データに該当衛星中継器識別子を挿入する。このように、既存の制御チャンネルに使用されない部分を用いて、衛星中継器識別子を送信することによって、付加的なチャンネルを割り当てなくても送信可能である。
【００３６】
上記衛星中継器識別子のビット数は、受信器が区別可能な最大衛星中継器の数に従って決定される。これは、衛星中継器の設計者による衛星中継器の配置及び送信電力により決定されることができる。
【００３７】
従って、図３に示した衛星中継器は、スーパーフレームの一番目のフレームから制御チャンネル内のパイロットシンボルと交互に送信される５１個のデータの送信部分のうち、３２ビットからなされた１つの区間に衛星中継器識別子を挿入して、１つのスーパーフレームの送信が終了される六番目のフレームまで、衛星中継器識別子を反復して送信する衛星中継器識別子生成器４９５をさらに具備する。
【００３８】
従って、ＣＤＭ変調器４４０は、復調されたＴＤＭ信号をＣＤＭ信号に変調して、制御チャンネルデータ（Ｄ０乃至Ｄ５０）を制御チャンネルに載せて送信する場合に、１つのデータの送信区間に衛星中継器識別子を３２ビットの領域に挿入する。このために、衛星中継器識別子生成器４９５は、衛星中継器識別子をスーパーフレーム内の送信ビット数である１９２ビット（フレーム当たり３２ビット、従って、６フレームに１９２ビット）になるように反復させた後に、スーパーフレームの開始位置から１フレーム当たり３２ビットずつ制御チャンネル信号に挿入する。このとき、上記衛星中継器識別子は、上記５１個の制御データ領域のうち、上記予備制御データ領域に挿入される。また、上記衛星中継器識別子は、所定のパターンでパンクチャーリングを介して任意の制御データ領域に送信されることができる。
【００３９】
上記衛星中継器識別子は、１つの連続された６個のフレームを有する１つのスーパーフレーム内に少なくとも一回送信されなければならない。上記衛星中継器識別子の送信が上記スーパーフレームの一番目のフレームから開始され、４ビットと１９２ビットとの間の値を有する。上記衛星中継器識別子は、Ｄ１乃至Ｄ５０のように、衛星で送信される際に、リードソロモン（Reed Solomon：ＲＳ）エンコーディング、バイトインターリービング、及び畳込みエンコーディング過程を通してエンコーディングされたデータではないので、１つのスーパーフレームにわたって反復される。
【００４０】
例えば、上記衛星中継器識別子が３２ビットである場合に、１つのフレームに１つの識別子を送信することができる。従って、１つのスーパーフレームの間に６回の反復送信が可能である。しかしながら、衛星中継器識別子が６４ビットである場合に、２つのフレームにわたって、１つの衛星中継器識別子の送信が可能であるので、１つのスーパーフレームの間には、３回の反復送信が可能である。
【００４１】
すると、図５を参照して、上記衛星中継器識別子によって衛星中継器を識別するための受信端末機の構成を説明する。
【００４２】
図５を参照すると、アナログデジタル変換器（Analog-to-Digital Converter：以下、ＡＤＣと称する）５１０は、Ｍ個の経路から受信されたアナログ信号を基底帯域デジタル信号へ変換して、ＡＤＣ５１０で変換された経路信号のそれぞれをレイク受信器の信号探索器５２０へ提供する。信号探索器（Searcher）５２０は、各経路に沿って受信された信号強度を測定し、所定の大きさ以上の強度を有する信号が受信された有効経路を検出し、上記検出された有効経路をフィンガープロセッサー５４０に割り当てる。フィンガープロセッサー５４０は、それぞれの有効経路から受信された信号を復調し、上記復調されたシンボルを結合器５５０へ出力する。結合器５５０は、上記復調されたシンボルを結合し、これによって、複数の経路から受信された元来の信号を推定する。
【００４３】
衛星中継器識別子検出部５３０は、フィンガープロセッサー５４０から受信された信号のうち、スーパーフレーム内の一番目のフレームから衛星中継器識別子に該当する信号を選択して、上記選択された信号を所定の回数だけ累積し、これによって、上記衛星中継器識別子を検出する。
【００４４】
図６を参照して、本発明による衛星中継器を識別するための端末機の詳細な動作について説明する。
【００４５】
図６を参照すると、端末機は、ステップ６００で、制御チャンネルに該当するウォルシュコードを復調することによって、拡散同期コード、及びフレーム及びスーパーフレームの同期を取得する。ステップ６１０で、端末機は、初期同期を取得したタイミング付近の多重経路成分を探索して、基準値以上の電力を有する経路を選択する。ステップ６２０で、端末機は、上記選択された経路のそれぞれに対して、スーパーフレームの開始点を基準にして、制御チャンネル内の衛星中継器識別子の伝送部分に該当する値をあらかじめ定められた数のフレームの間に送信ビットの単位で累積する。このとき、上記累積された回数は、端末機で測定された該当経路から受信された信号の状態及び衛星中継器識別子のビット数に従って調節されることができる。例えば、衛星中継器識別子が３２ビットであり、累積区間が６フレームである場合に、フレーム当たりの３２ビットのシンボルを６つのフレームの間に累積した後に、最終的な３２ビットを計算する。
【００４６】
累積が完了された後に、端末機は、ステップ６３０で、各経路に対する上記累積された値に基づいて衛星中継器識別子を検出し、該当経路に対する信号強度及びタイミングとともに、上記衛星中継器識別子を検出する。従って、端末機は、現在のすべての有効な多重経路のタイミング、受信信号の強度、衛星中継器識別子情報を検出する。
【００４７】
上記検出された情報に基づいて、端末機は、各衛星中継器から受信された信号強度がもっとも大きい経路を上記レイク受信器に優先的に割り当て、その後に、ステップ６４０で、端末機は、同一の中継器から受信された信号のうち、受信強度が大きい信号を有する経路を上記レイク受信器に割り当てる。
【００４８】
ステップ６５０で、特定の衛星中継器からの受信強度情報の要請がある場合に、端末機は、ステップ６６０で、上記衛星中継器から受信された信号強度を合算して、上記合算された受信強度の情報を該当衛星中継器、又は、端末機に接続された外部デバイスへ送信する。
【００４９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００５０】
【図１】従来の衛星デジタルマルチメディアブロードキャスティングシステムの構成を示す図である。
【図２】１つの受信端末機が複数の衛星中継器から複数の経路の信号を受信するオーバーラップ領域を示す図である。
【図３】本発明の実施形態による衛星中継器の構成を示すブロック図である。
【図４】パイロットチャンネルフレームの構成を示す図である。
【図５】衛星受信端末機の構成を示すブロック図である。
【図６】本発明の実施形態による衛星受信端末機の動作を説明するためのフローチャートである。
【符号の説明】
【００５１】
４１０  衛星チューナー
４２０  パターン認識部
４３０  チャンネルバッファ
４４０  ＣＤＭ変調器
４５０  波形整形（ＲＲＣ）フィルター
４６０  デジタルアナログ変換器
４６５  アップコンバーター
４７０  ＰＬＬ
４８０  クロック生成器
４９０  制御部
４９５  衛星中継器識別子生成器
【図１】
2006528865.tif 000003
【図２】
2006528865.tif 000004
【図３】
2006528865.tif 000005
【図４】
2006528865.tif 000006
【図５】
2006528865.tif 000007
【図６】
2006528865.tif 000008
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
衛星放送システムにおける放送衛星から受信された衛星放送データを移動受信器へ送信する衛星中継器であって、
前記受信された放送信号を復調する衛星チューナーと、
前記復調された衛星放送信号を変調してフレームを構成し、制御チャンネルフレームの空いている領域内に衛星中継器識別子情報を挿入するフレーム構成部と、
前記フレーム構成部から受信されたフレームを無線周波数に載せて送信する無線処理部と
を具備することを特徴とする衛星中継器。
【請求項２】
前記フレーム構成部は、
信号間の放送データチャンネル情報を有する前記制御チャンネル内の衛星中継器識別子情報を挿入する衛星中継器識別子生成器と、
前記衛星中継器識別子生成器からの出力を変調することによって、前記フレームを形成する変調器と
を具備することを特徴とする請求項１記載の装置。
【請求項３】
衛星放送システムにおける衛星中継器から信号を受信する受信器であって、
複数の経路から受信された信号のうち、所定の大きさ以上になる強度を有する信号に対して、復調されたシンボルを生成するフィンガープロセッサーと、
前記復調されたシンボルから衛星中継器識別子を検出する衛星中継器識別子検出部と
を具備することを特徴とする受信器。
【請求項４】
前記衛星中継器識別子検出部は、
前記衛星中継器識別子に該当する信号をあらかじめ設定された回数だけ累積することを特徴とする請求項３記載の受信器。
【請求項５】
前記フィンガープロセッサーは、
前記衛星中継器識別子検出部が検出した衛星中継器識別子に基づいて、現在割り当てられない中継器から受信された経路のうち、受信強度がもっとも大きい経路を優先的に復調することを特徴とする請求項３記載の受信器。
【請求項６】
衛星放送システムにおいて、放送衛星から受信された衛星放送データを変換し、上記変換された衛星放送データを移動受信器へ送信する方法であって、
前記衛星放送信号を受信して復調するステップと、
前記復調された衛星放送信号を変調してフレームを構成し、制御チャンネルフレームの空いている領域内に中継器識別子情報を挿入するステップと、
前記フレームを無線周波数に載せて送信するステップと
を具備することを特徴とする方法。
【請求項７】
衛星放送システムにおける受信された信号から衛星中継器を識別する方法であって、
前記衛星中継器から受信された制御チャンネルを復調してスーパーフレームの同期を取得するステップと、
最初の同期を取得したタイミングの多重経路成分を探索して、受信された信号強度を有する経路を選択するステップと、
前記選択された経路のそれぞれに対して、スーパーフレームの開始点を基準にして制御チャンネル内の衛星中継器識別子に該当する値を累積するステップと、
前記累積された値から衛星中継器識別子を検出するステップと、
前記検出された衛星中継器識別子に基づいて、現在割り当てられない中継器から受信された経路のうち、受信強度がもっとも大きい経路を優先的に割り当てるステップと
を具備することを特徴とする方法。
【国際調査報告】
2006528865.tif 000009
2006528865.tif 000010